(57)【要約】  換気扇は、一面が開口された箱型形状を呈する箱体と、箱体の内部に収容されるファンと、ファンを回転させる電動機と、箱体の内部でファンを収容するファンケーシング（２２）と、ファンケーシング（２２）に設けられた電線接続部と、電線接続部を覆うカバーと、を備える。ファンケーシング（２２）には、電線接続部を囲む囲みリブ（２９）が形成される。囲みリブ（２９）には、カバーと係合して、カバーが開く方向に回転することを規制する係合部（２２ａ）が形成される。囲みリブ（２９）のうち係合部（２２ａ）を挟んだ両側には、囲みリブ（２９）の先端から根元側に向けて延びるスリット（２２ｃ）を有する。  上記構成により、電線接続部を覆うカバーの開閉の容易性と、閉鎖状態の確実な維持との両立を図ることができる。
2017122351.tif 000002
【特許請求の範囲】
【請求項１】
一面が開口された箱型形状を呈する箱体と、  前記箱体の内部に収容されるファンと、  前記ファンを回転させる電動機と、  前記箱体の内部で前記ファンを収容するファンケーシングと、  前記ファンケーシングのうち前記開口側を向く面に設けられた電線接続部と、  前記電線接続部を覆うカバーと、を備え、  前記カバーは、前記開口と平行な回転軸を中心に回転可能とされて前記ファンケーシングに支持され、  前記ファンケーシングには、前記電線接続部を囲む囲みリブが形成され、  前記囲みリブには、前記カバーのうち前記回転軸の反対側となる端部と係合して、前記カバーが開く方向に回転することを規制する係合部が形成され、  前記囲みリブのうち前記係合部を挟んだ両側には、前記囲みリブの先端から根元側に向けて延びるスリットを有することを特徴とする換気扇。
【請求項２】
前記係合部は、前記囲みリブで囲まれた領域に向けて突出する第１の突部であり、  前記囲みリブには、前記第１の突部を挟んで前記開口の反対側に形成されて、前記囲みリブに囲まれた領域に向けて突出する第２の突部が形成されることを特徴とする請求項１に記載の換気扇。
【請求項３】
前記ファンケーシングのうち前記開口側を向く面には、前記囲みリブの内側面と対向する内側リブが形成され、  前記囲みリブと前記内側リブとの間に前記カバーが嵌まることを特徴とする請求項１または２に記載の換気扇。
【発明の詳細な説明】
【技術分野】
【０００１】  本発明は、箱体の内部にファンとファンケーシングとが設けられた換気扇に関する。
【背景技術】
【０００２】  一面が開口された箱体の内部にファンとファンケーシングとが設けられた換気扇が用いられている。このような換気扇には、ファンを回転させるための動力として電動機も備えられる。また、このような換気扇には、電動機に電力を供給するための電線を接続するための電線接続部が設けられる。電線接続部は、電線の接続作業の作業性およびメンテナンス性を考慮して、ファンケーシングのうち箱体の開口側を向く面に設けられる。また、特許文献１に開示されているように、電線接続部を覆うカバーを換気扇に設けて、電線接続部への湿気および埃の侵入の抑制が図られる。
【先行技術文献】
【特許文献】
【０００３】
【特許文献１】国際公開第２００９／１４４７７８号
【発明の概要】
【発明が解決しようとする課題】
【０００４】  電線接続部を覆うカバーには、電線の接続作業およびメンテナンス作業を行う際に容易に開閉できることが求められるとともに、それ以外の製品使用時には湿気および埃の侵入を防ぐためにカバーの閉鎖状態が確実に維持されることが求められる。【０００５】  本発明は、上記に鑑みてなされたものであって、電線接続部を覆うカバーの開閉の容易性と、閉鎖状態の確実な維持との両立を図ることのできる換気扇を得ることを目的とする。
【課題を解決するための手段】
【０００６】  上述した課題を解決し、目的を達成するために、本発明は、一面が開口された箱型形状を呈する箱体と、箱体の内部に収容されるファンと、ファンを回転させる電動機と、箱体の内部でファンを収容するファンケーシングと、ファンケーシングのうち箱体の開口側を向く面に設けられた電線接続部と、電線接続部を覆うカバーと、を備える。カバーは、開口と平行な回転軸を中心に回転可能とされてファンケーシングに支持される。ファンケーシングには、電線接続部を囲む囲みリブが形成される。囲みリブには、カバーのうち回転軸の反対側となる端部と係合して、カバーが開く方向に回転することを規制する係合部が形成される。囲みリブのうち係合部を挟んだ両側には、囲みリブの先端から根元側に向けて延びるスリットを有する。
【発明の効果】
【０００７】  本発明にかかる換気扇は、電線接続部を覆うカバーの開閉の容易性と、閉鎖状態の確実な維持との両立を図ることができるという効果を奏する。
【図面の簡単な説明】
【０００８】
【図１】本発明の実施の形態１にかかる換気扇の取付け状態を示す断面図
【図２】実施の形態１にかかる換気扇の底面図
【図３】図２に示すＡ部分を拡大した部分拡大斜視図であって、カバーが開いた状態を示す図
【図４】図２に示すＡ部分を拡大した部分拡大斜視図であって、カバーが閉じた状態を示す図
【図５】図３に示すＢ部分を拡大した部分拡大斜視図
【図６】実施の形態１におけるカバーと囲みリブとの係合部分の断面図
【発明を実施するための形態】
【０００９】  以下に、本発明の実施の形態にかかる換気扇を図面に基づいて詳細に説明する。なお、この実施の形態によりこの発明が限定されるものではない。
【００１０】実施の形態１．  図１は、本発明の実施の形態１にかかる換気扇の取付け状態を示す断面図である。図２は、実施の形態１にかかる換気扇の底面図である。図３は、図２に示すＡ部分を拡大した部分拡大斜視図であって、カバーが開いた状態を示す図である。図４は、図２に示すＡ部分を拡大した部分拡大斜視図であって、カバーが閉じた状態を示す図である。図５は、図３に示すＢ部分を拡大した部分拡大斜視図である。図６は、実施の形態１におけるカバーと囲みリブとの係合部分の断面図である。
【００１１】  実施の形態１にかかる換気扇１００は、天井に形成された開口部分に設けられ、室外に連通されたダクト１３に室内側からダクト接続口１２を挿入して、室内の空気を換気するダクト用換気扇である。
【００１２】  換気扇１００は、一面が開口された箱体形状を呈する箱体２１を備える。換気扇１００は、箱体２１の開口を天井に形成された開口に向けた姿勢で、天井内に設置される。箱体２１の内部には、多翼式のファン１７が収容される。箱体２１の内部には、ファン１７を収容するファンケーシング２２が設けられる。ファンケーシング２２には、箱体２１の開口側に向けて開口するベルマウス部２２ｄおよびダクト接続口１２側に向けて開口する吹出口２２ｅが形成される。箱体２１の側部には、吹出口２２ｅをダクト接続口１２に連通させるダクト接続枠２３が設けられる。
【００１３】  換気扇１００は、ファン１７を回転させる電動機１６を備える。電動機１６の駆動軸にファン１７が結合されることで、ファン１７は回転可能とされる。電動機１６によってファン１７が回転されると、ファンケーシング２２の内部において、ベルマウス部２２ｄから吹出口２２ｅに向かう気流が発生する。これにより、換気扇１００は、箱体２１の開口から室内の空気を吸い込み、吸い込んだ空気をダクト接続口１２およびダクト１３を通じて室外に排気することができる。
【００１４】  換気扇１００は、天井に形成された開口からファンケーシング２２などの内部部品を見えにくくするために、意匠部品である化粧グリル３１を備える。化粧グリル３１は、本体取付用のスプリング３２を備えている。スプリング３２をファンケーシング２２に形成されているスプリング固定部２６に引掛けることで、箱体２１に化粧グリル３１が固定される。
【００１５】  ダクト接続枠２３の外形は、径の異なる段状に形成されている。これは、異なる径のダクトを接続可能とするとともに、ダクト接続枠２３とダクト１３との境界部分にテープを巻き付けるテーピング作業の作業性を考慮したものである。
【００１６】  ダクト接続枠２３内には、風圧にて開閉するシャッター２４が設けられている。シャッター２４は、換気扇１００の運転時、すなわち電動機１６の動作時には風圧で開き、停止時にはシャッター２４の自重でダクト接続枠２３を閉鎖する。シャッター２４を設けることで、換気扇１００の停止時に屋外からの外風が室内に侵入するのを防止することができる。ダクト接続枠２３に接続されるダクト１３は、屋外まで延びており建物の外壁に備えたフードなどと連結し、住宅内の空気を換気する換気風路を形成している。
【００１７】  ファンケーシング２２のうち、箱体２１に形成された開口側を向く面には、電線接続部２０が設けられる。電線接続部２０には、図３に示すように端子台２７が設けられる。端子台２７と電動機１６とは、図示しない器内電線によって電気的に接続されている。端子台２７には、図示しない外部電源電線を差し込み可能な差込穴２７ａが形成されている。箱体２１の天面側から箱体２１の内部に挿入された外部電源電線が、差込穴２７ａに差し込まれることで、外部電源電線から供給される外部電力が、端子台２７および器内電線を介して電動機１６に供給される。電動機１６は、供給された電気エネルギーを駆動軸の回転運動に変換し、回転運動をファン１７に伝える。
【００１８】  電線接続部２０は、ファンケーシング２２に対して箱体２１の開口と平行な回転軸２８を中心に回転可能に設けられたカバー１９で覆われる。電線接続部２０がカバー１９で覆われることで、電線接続部２０への湿気および埃の侵入の抑制が図られる。また、カバー１９を開くことで、箱体２１の天面側のゴムブッシュ（図示せず）から挿入された外部電源電線を、端子台２７の差込穴２７ａに差し込むことができる。これにより、換気扇１００を天井内に設置した状態での外部電源電線の結線作業が容易となる。
【００１９】  ファンケーシング２２には電線接続部２０を囲む囲みリブ２９が立設されている。囲みリブ２９には、図３および図５に示すように、囲みリブ２９に囲まれた領域に向けて突出する係合部２２ａが形成されている。係合部２２ａは、カバー１９のうち回転軸２８の反対側となる端部と係合することで、カバー１９が開く方向に回転することを規制して閉鎖状態を維持する第１の突部である。安全性の観点から、電線接続部２０への接触が容易にできないように、カバー１９の自重では開かない構造となっている。
【００２０】  しかしながら、結線作業時にカバー１９を開ける必要があるため、囲みリブ２９のうち係合部２２ａを挟んだ両側には、囲みリブ２９の先端から根元側に向けて延びるスリット２２ｃが形成されている。スリット２２ｃを設けることで、係合部２２ａが形成された部分、すなわちスリット２２ｃの間の部分が撓みやすくなり、カバー１９の開閉の容易化を図ることができる。また、カバー１９を閉じた状態では、係合部２２ａがカバー１９に係合することで、カバー１９が閉じた状態が確実に維持される。また、カバー１９には、カバーを開閉する際に指を引っ掛ける引掛け部１９ａが形成されており、カバー１９の開閉のより一層の容易化が図られる。
【００２１】  囲みリブ２９には、係合部２２ａを挟んで傾斜部２２ｆの反対側に形成されて、係合部２２ａと係合した状態のカバー１９が、さらに閉じる方向に回転するのを規制する過係合規制部２２ｂが設けられる。過係合規制部２２ｂは、囲みリブ２９に囲まれた領域に向けて突出するように形成されている。過係合規制部２２ｂは、カバー１９のうち回転軸２８の反対側となる端部に当接して、カバー１９の位置を規制する第２の突部である。過係合規制部２２ｂを設けることで、閉じた状態でのカバー１９の位置を安定させることができる。これにより、カバー１９と係合部２２ａとが強固に係合してしまい、カバー１９が開けにくくなることを防ぐことができる。
【００２２】  また、ファンケーシング２２のうち開口側を向く面には、囲みリブ２９の内側面と対向する内側リブ３０が形成され、囲みリブ２９と内側リブ３０との間にカバー１９が嵌まる。これにより、カバー１９が閉じた状態で、カバー１９とファンケーシング２２との接触部分が印籠構造となり、湿気および埃が電線接続部２０により一層侵入しにくくなる。
【００２３】  なお、係合部２２ａが突起である例を説明したが、係合部２２ａは囲みリブ２９に形成された穴であり、その穴にカバー１９が嵌まって係合状態となる構成であっても構わない。また、換気扇について説明したが、送風機および空気調和機、それらに組み合わせて使用されるシステム部材に上述した電線接続部２０の構成を採用しても構わない。
【００２４】  以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２５】  １２  ダクト接続口、１３  ダクト、１６  電動機、１７  ファン、１９  カバー、２０  電線接続部、２１  箱体、２２  ファンケーシング、２２ａ  係合部（第１の突部）、２２ｂ  過係合規制部（第２の突部）、２２ｃ  スリット、２２ｄ  ベルマウス部、２２ｅ  吹出口、２２ｆ  傾斜部、２３  ダクト接続枠、２４  シャッター、２６  スプリング固定部、２７  端子台、２７ａ  差込穴、２８  回転軸、２９  囲みリブ、３０  内側リブ、３１  化粧グリル、３２  スプリング、１００  換気扇。
【図１】
2017122351.tif 000003
【図２】
2017122351.tif 000004
【図３】
2017122351.tif 000005
【図４】
2017122351.tif 000006
【図５】
2017122351.tif 000007
【図６】
2017122351.tif 000008
【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
一面が開口された箱型形状を呈する箱体と、
前記箱体の内部に収容されるファンと、
前記ファンを回転させる電動機と、
前記箱体の内部で前記ファンを収容するファンケーシングと、
前記ファンケーシングのうち前記開口側を向く面に設けられた電線接続部と、
前記電線接続部を覆うカバーと、を備え、
前記カバーは、前記開口と平行な回転軸を中心に回転可能とされて前記ファンケーシングに支持され、
前記ファンケーシングには、前記電線接続部を囲む囲みリブが形成され、
前記囲みリブには、前記カバーのうち前記回転軸の反対側となる端部と係合して、前記カバーが開く方向に回転することを規制する係合部が形成され、
前記囲みリブのうち前記係合部を挟んだ両側には、前記囲みリブの先端から根元側に向けて延びるスリットを有し、
前記囲みリブを構成する面のうち前記係合部が形成された面の裏側となる面は、両側を前記スリットで挟まれる領域の面が、両側を前記スリットで挟まれる領域以外の面よりも前記囲みリブに囲まれた領域に向かう方向において前方に位置することを特徴とする換気扇。
【請求項２】
前記係合部は、前記囲みリブで囲まれた領域に向けて突出する第１の突部であり、
前記囲みリブには、前記第１の突部を挟んで前記開口の反対側に形成されて、前記囲みリブに囲まれた領域に向けて突出する第２の突部が形成されることを特徴とする請求項１に記載の換気扇。
【請求項３】
前記ファンケーシングのうち前記開口側を向く面には、前記囲みリブの内側面と対向する内側リブが形成され、
前記囲みリブと前記内側リブとの間に前記カバーが嵌まることを特徴とする請求項１または２に記載の換気扇。
【国際調査報告】
2017122351.tif 000009
2017122351.tif 000010
2017122351.tif 000011
2017122351.tif 000012